(57)【要約】【課題】  紙幣収納装置の構成を簡素化することにより製品コストが低減し、搬送途中にて紙幣詰まりを招くことない、遊技島における紙幣収納装置を提供する。【解決手段】  紙幣収納装置は、紙幣搬送装置から搬送した紙幣を受入れる受入搬送機構と、該受入搬送機構から受入れた紙幣を内部に送り込むよう支点軸を介して上下動する内部導入搬送機構と、該内部導入搬送機構の下方に一端を保持し、他端が揺動するスタック板を設けた紙幣収納室と、から構成した。【選択図】        図２  
2005263370.tif 000002
【特許請求の範囲】
【請求項１】
遊技島に配設した各遊技媒体貸出機に投入された紙幣を紙幣搬送装置にて搬送し、該紙幣収納装置内に設けた紙幣収納部に整列収納する、遊技島における紙幣収納装置において、
上記紙幣収納装置は、紙幣搬送装置から搬送した紙幣を受入れる受入搬送機構と、該受入搬送機構から受入れた紙幣を内部に送り込むよう支点軸を介して上下動する内部導入搬送機構と、該内部導入搬送機構の下方に一端を保持し、他端が揺動するスタック板を設けた紙幣収納室と、から構成したことを特徴とする遊技島における紙幣収納装置。
【発明の詳細な説明】
【技術分野】
【０００１】
本発明は、遊技店の遊技島の島端に設置される紙幣収納装置に関し、特に遊技島に配設した遊技媒体貸出機に投入された紙幣を紙幣搬送装置にて搬送し、該紙幣収納装置内の紙幣収納部に整列収納する、遊技島における紙幣収納装置に関する。
【背景技術】
【０００２】
遊技島に配設される遊技媒体貸出機は、紙幣（千円紙幣等）を投入して遊技媒体を貸出すことが出来るように、遊技媒体貸出機の本体部に紙幣識別装置や遊技媒体計数機構等が設けられている。
この遊技媒体貸出機を遊技島に配設すると、投入された紙幣を紙幣識別装置にて真偽を識別し、真紙幣と識別された紙幣は紙幣搬送装置にて搬送され、島端に設置された紙幣収納装置に収納される。
また、遊技島以外（自動取引装置等）においても投入された紙幣の真偽を識別後、収納部内に整列収納する紙幣収納装置が提供されている。
例えば、下記の特許文献にて開示されている。
【特許文献１】特開２０００−１１２３３
【０００３】
上記した特許文献の紙幣収納装置（紙幣集積装置）は、
「紙葉類を一枚ずつ集積部に取込んで集積する紙幣集積装置であって、上記集積部の紙葉類を集積方向に押圧し、この集積部への紙葉類の搬入に基づいて押圧位置より退避する押圧手段を備えている。また、「紙葉類を一枚ずつ集積部に取込んで集積する紙幣集積装置であって、上記集積部の入口に配設され、ここに導かれた紙葉類の後端部をはたいて取込む羽根車と、上記集積部の紙葉類を集積方向に押圧し、この集積部への紙葉類の搬入力に連動して押圧位置より一時的に退避する押圧レバーとを備えた構成」と成している。
そして、上記した構成によれば、一枚の紙葉類の搬入力を効率よく利用した連動式の押圧、退避構造が得られる。また、取込む羽根車の強制集積作用によって搬入した紙葉類を集積方向に速やかに強制集積し、次搬入紙葉類との衝突を確実に回避することが出来る。
【発明の開示】
【発明が解決しようとする課題】
【０００４】
上記紙幣収納装置（紙幣集積装置）の押圧手段（押圧レバー）は、外部の支点ピンを介して傾動自由に取付けられ、この支点ピンを傾動支点に押圧レバーの先端部を上下動させている。なお、押圧レバーが常時下向きになるよう後端部寄りに設けた押圧バネにて付勢されている。
しかしながら、上記した構成の紙幣収納装置（紙幣集積装置）は、自動取引装置等においては紙幣詰まりすることなく、搬入した紙幣を集積部に集積することが出来るが、遊技島に設置される紙幣収納装置では対応が出来ず、頻繁に紙幣詰まりのトラブルが生じてしまう。
つまり、自動取引装置等においては搬入される紙幣が時間差にて搬入されてくるため支障がないが、遊技店において開店早々時等は、紙幣搬送装置から紙幣が間隔をおかず連続的に送られてくるため、連続してきた紙幣を詰まることなく収納するように対処しなくてはならない。遊技店での紙幣収納装置にて紙幣詰まりが生じてしまうとその間、遊技媒体貸出機が使用できなくなってしまう。
また、一般的に遊技店に設置される紙幣収納装置の紙幣収納部の構成は、搬送してきた紙幣を押し込むためのスタック機構（スタック板付き駆動モータ及び各センサ群と制御部等）が備えられているため、部品点数が多くコストアップの要因となっていた。
【０００５】
本発明は、紙幣収納装置の紙幣収納部の構成を簡素化することにより製品コストを低減し、収納途中にて紙幣詰まりを招くことがない、遊技島における紙幣収納装置を提供することを目的とする。
【課題を解決するための手段】
【０００６】
本発明の構成は、遊技島に配設した各遊技媒体貸出機に投入された紙幣を紙幣搬送装置にて搬送し、該紙幣収納装置内に設けた紙幣収納部に整列収納する、遊技島における紙幣収納装置において、
上記紙幣収納装置は、紙幣搬送装置から搬送した紙幣を受入れる受入搬送機構と、該受入搬送機構から受入れた紙幣を内部に送り込むよう支点軸を介して上下動する内部導入搬送機構と、該内部導入搬送機構の下方に一端を保持し、他端が揺動するスタック板を設けた紙幣収納室と、から構成したことによって、達成される。
【発明の効果】
【０００７】
本発明の構成によれば、紙幣収納装置内に設けた紙幣収納部は、スタック板付き駆動モータ及び各センサ群と制御部等からなるスタック機構を除いた簡素化した構成によって部品点数が減り、組み立て工数も減り、その結果、製品コストも低減する。また、遊技店において間隔をおかず連続して搬送してくる紙幣であっても収納途中で紙幣詰まりすることなく整列収納することが出来る。
【発明を実施するための最良の形態】
【０００８】
以下、図面に示した実施形態を詳細に説明する。
【実施例１】
【０００９】
図１は遊技台と遊技媒体貸出機とが配設された遊技島の斜視図であり、図２は収納前の紙幣収納部を示す正面図であり、図３は同斜視図である。図４は収納後の紙幣収納部を示す正面図であり、図５は同斜視図である。図６乃至図８は紙幣収納部に導く、受入搬送機構及び内部導入搬送機構の駆動機構を示した図である。
【００１０】
始めに本発明の紙幣収納装置が設置される遊技店の遊技島について説明する。
図１に示すように、遊技島１には複数台の遊技台３と該遊技台に隣接して遊技媒体貸出機５とが配設されている。遊技客が遊技するにあたって遊技媒体貸出機５に紙幣を投入すると、内部に設けた紙幣識別装置にて識別され、正紙幣と識別すると遊技媒体が取出し装置に排出され、遊技を開始する。投入された紙幣は遊技島内部に具備した紙幣搬送装置（不図示）にて搬送され、島端に設置された紙幣収納装置７内の紙幣収納部９へと搬送し整列回収される。
【００１１】
本発明の紙幣収納装置７の紙幣収納部９の構成について詳述する。
紙幣収納装置７（紙幣収納部９）は、紙幣搬送装置から搬送した紙幣を受入れる受入搬送機構１０（紙幣受入口１１、受入プーリ１１ａ、湾曲路１２等）と、該受入搬送機構１０から受入れた紙幣を内部に送り込むよう支点軸２０ａを介して上下動する内部導入搬送機構１５（回動板２０、両端の先端搬送プーリ１８ｂ、二本の搬送ベルト１８ｃ等）と、該内部導入搬送機構１５の下方に一端２１ａを保持し、他端２１ｂが揺動するスタック板２１を設けた紙幣収納室２５と、から大略構成されている。
【００１２】
上記した紙幣搬送装置の終端と、島端に設置した紙幣収納装置７とが接続搬送路（不図示）を介して接続されている。よって、上記遊技媒体貸出機５に投入された紙幣は紙幣搬送装置にて一枚ずつ搬送され、終端の接続搬送路を通過した後、紙幣収納装置７の紙幣受搬送機構１０を通り、連接する内部導入搬送機構１５の駆動機構によって導かれ、内部導入搬送機構１５とスタック板２１との間に順次積層し、整列収納される。なお、内部導入搬送機構以前に設けた検出部にて通過した枚数が検出され、売り上げカウントされる。
【００１３】
始めに、受入搬送機構１０の駆動機構の構成について説明する。
紙幣受入口１１は、受入フレーム１１ｂと案内フレーム１１ｃとの間に開口した隙間であり、受入フレーム１１ｂと案内フレーム１１との間に通路が形成され、この通路を延長した位置に、後述する内部導入搬送機構１５に導くよう湾曲路１２が形成されている。
該湾曲路１２には適宜間隔をおいて付勢したプーリ１２ａが複数個設けられている。また、湾曲路１２の曲がり部位には回動する切替弁１２ｂが設けられ、回動することにより紙幣収納室側と別の収納室側（別の紙幣収納室側等）へ流路が切替る。
受入フレーム１１ｂ（カバー）の中央下面の受入軸１１ｄに支承され、回転する受入プーリ１１ａが湾曲路１２に臨んで設けられている。該受入プーリ１１ａと他方の駆動プーリ１８には伝達ベルト１７が巻回され、駆動モータ１６の駆動伝達により、受入プーリ１１ａが回転する。該受入プーリ１１ａが回転（時計回転方向）することにより、紙幣受入口１１から進入した紙幣を取込むことが出来る。
【００１４】
上記受入プーリ１１ａに回転伝達する駆動プーリ１８は、伝達軸１７ａの中央に距離をあけて支承され、両端に後端搬送プーリ１８ａが設けられ、一方側の後端搬送プーリ１８ａに伝達歯車１６ｂが設けられている。該伝達歯車１６ｂは、駆動モータ１６に軸支された駆動歯車１６ａと噛み合う位置に取付けられている。
このように駆動モータ１６が駆動すると駆動歯車１６ａが回転し、噛み合う伝達歯車１６ｂも回転することになる。さらに伝達歯車１６ｂと噛み合う従動歯車１６ｃが下方寄りの位置に取り付けられている。従動歯車１６ｃも従動軸１７ｂに支承されていて両端寄りに羽根付ローラ１９が回転可能に設けられている。
該羽根付ローラ１９の周囲には複数本の羽根が設けられていて、例えば羽根は弾性材等から成り、該羽根付ローラ１９が回転、（反時計回転方向）することにより、紙幣の後端部を下方に押さえることが出来る。
【００１５】
次に、内部導入搬送機構１５の駆動機構の構成について説明する。
紙幣を取込むための受入れ側の駆動機構は、紙幣受入口前の接続搬送路に設けた検出部（不図示）にて紙幣の通過を検知すると、駆動モータ１６が駆動し、駆動に伴って駆動歯車１６ａが回転すると、噛み合う伝達歯車１６ｂが回転し、さらに噛み合う従動歯車１６ｃも回転することになる。なお、図示しないが上記した伝達軸１７ａ、従動軸１７ｂの二本の軸はフレーム本体に両端が各々軸支されている。また、駆動モータ１６もフレーム本体の側面に取付けられている。
【００１６】
さらに紙幣を内部に送り込む側の駆動機構について説明すると、上記した伝達軸１７ａの両端に支承された後端搬送プーリ１８ａと、先端側に設けた両端の先端搬送プーリ１８ｂとが各々搬送ベルト１８ｃに巻回されている。図８のように先端搬送プーリ１８ｂは、後端搬送プーリ１７ａから幾分離れた位置に後述する回動板２０の両側先端の折曲片２０ｂに支承されている。また、上記各々搬送ベルト１８ｃは、紙幣の両側の幅を搬送するため、間隔をあけて設けられている。さらに、両側の搬送ベルト１８ｃ間には後述する回動板２０が取付けられている。
上記したように駆動モータ１６が駆動すると駆動歯車１６ａが回転し、噛み合う伝達歯車１６ｂも回転し、一本に軸支された伝達歯車１６ｂ、後端搬送プーリ１８ａ、駆動プーリ１８が駆動すると、後端搬送プーリ１８ａに巻回した搬送ベルト１８ｃにより、先端搬送プーリ１８ｂが回転することになる。
よって、受入れ側から入ってきた紙幣は、両側の搬送ベルト１８ｃに搬送され、内部（奥側）に送り込むことが出来る。二本の搬送ベルト１８ｃによって送り込まれた紙幣は先端の突出片２１ｅに衝突して停止し、順次積層されていく。
【００１７】
次に、内部導入搬送機構１５の回動板が上下動する構成を説明する。
図２及び図３は紙幣収納室に紙幣が収納される収納前の状態であり、図４及び図５は、紙幣収納室に紙幣が収納された収納後の状態を示している。
両側の搬送ベルト１８ｃ間に設けられ、略長方形状から成る回動板２０は、先端の折曲片２０ｂに先端搬送プーリ１８ｂが支承され、後端が支点軸２０ａにて軸支され、上下動するように成している。
つまり、後端側の支点軸２０ａを支点として先端側がフリーの状態のため、紙幣の積層（積層枚数）に応じて下位置から、上位置に上昇していくことが出来る。
図２及び図３のように、紙幣がさほど積層されていない時は、スタック板２１と回動板２０とは隙間がないが、次第に紙幣が積層（積層枚数）されていくと、支点軸２０ａに反して回動板２０の先端側が除々に上昇した位置になっていく（図４及び図５参照）。
【００１８】
次に、紙幣収納室２５の構成について詳述する。
上述した上下動する機構の下方には、回収した紙幣を整列して積層することが出来る、大きさ、幅を形成した、スペース（空間部）の紙幣収納室２５が設けられている。このスペース（空間部）を称して紙幣収納室２５としている。紙幣収納室２５には、保持フレーム２３に一端２１ａが保持され、他端２１ｂが揺動するスタック板２１が取付けられている。該スタック板２１は、紙幣が積層する幅、長さを有した略長方形状から成り、一端２１ｃが軸２１ｄに保持されているため上下に揺動するようになっている。なお、図示していないが、スタック板２１の中央下部には、弾性材（バネ等）が設けられ、該スタック板２１を付勢させている。よって、スタック板２１は、保持された一端２１ａを支点に、他端２１ｂが上下動することになる。スタック板２１の他端２１ｂの下部には水平姿勢を維持するための保持片２１ｃ（ストッパ片）が設けられている。また、図示していないが水平姿勢になると検出部（マイクロスイッチ等）と当接し、満杯である旨を出力する。
【００１９】
このように、スタック板２１上に紙幣が積層されていないときは、一端２１ａが下がった右上がりの傾斜姿勢（図２）となり、スタック板２１上に紙幣が積層されると、他端２１ｂが下がり、略水平姿勢（図４）となり、保持片２１ｃにより、水平姿勢を維持するように成している。スタック板２１に紙幣が積層された時、後端側は反時計回転方向に回転している羽根付ローラ１９により、紙幣の後端部を下方に押さえることが出来る。
【００２０】
次に、上述した構成に基づき、本発明の紙幣収納装置７における紙幣の収納状態（作用）を説明する。
遊技媒体貸出機５に投入された紙幣は紙幣搬送装置にて搬送され、終端の接続搬送路を通過した後、紙幣収納装置７の紙幣受入口１１の受入搬送機構１０を通り、連接した内部導入搬送機構１５によって内部の紙幣収納室２５へと導かれていく。
紙幣は、両側の搬送ベルト１８ｃと回動板２０に沿って案内されながら搬送され、先端が突出片２１ｅに衝突して停止し、スタック板２１上に順次積層されていく。支点軸２０ａに反して上下動する回動板２０は、スタック板２１で紙幣を押さえながら、然も積層する枚数に応じて次第に先端側が上昇するように作用する。この回動板２０の上下動に伴って一端２１ａを保持したスタック板２１の他端２１ｂが揺動（下降）するように作用する。よって、スタック板２１は積層していく積層枚数によって傾斜姿勢から水平姿勢に可変する。
また、スタック板２１に紙幣が積層された時、先端側は両側の先端搬送プーリ１８ｂにて維持され、後端側は反時計回転方向に回転している羽根付ローラ１９により、紙幣の後端部を下方に押さえることが出来るため、後続の紙幣が搬送されてきてもスタック板２１の上で紙幣詰まりすることなく、整列状態で積層させることが出来る。
このような構成にすることによって、スタック板付き駆動モータ及び各センサ群と制御部等からなるスタック機構を除いた簡素化した構成となり、コストダウンに繋がる。
【図面の簡単な説明】
【００２１】
【図１】遊技台と遊技媒体貸出機とが配設された遊技島の斜視図である。
【図２】収納前の紙幣収納部を示す正面図である。
【図３】同上斜視図である。
【図４】収納後の紙幣収納部を示す正面図である。
【図５】同上斜視図である。
【図６】受入搬送機構及び内部導入搬送機構の駆動機構を示す平面図である。
【図７】受入搬送機構及び内部導入搬送機構の駆動機構を示す正面図である。
【図８】受入搬送機構及び内部導入搬送機構の駆動機構を示す斜視図である。
【符号の説明】
【００２２】
７    紙幣収納装置
９    紙幣収納部
１０    受入搬送機構
１１    紙幣受入口
１２    湾曲路
１５    内部導入搬送機構
１６    駆動モータ
１６ａ  駆動歯車
１６ｂ  伝達歯車
１６ｃ  従動歯車
１８ａ  後端搬送プーリ
１８ｂ  先端搬送プーリ
１９    羽根付ローラ
２０    回動板
２０ａ  支点軸
２１    スタック板
２１ａ  一端
２１ｂ  他端
２５    紙幣収納室
【図１】
2005263370.tif 000003
【図２】
2005263370.tif 000004
【図３】
2005263370.tif 000005
【図４】
2005263370.tif 000006
【図５】
2005263370.tif 000007
【図６】
2005263370.tif 000008
【図７】
2005263370.tif 000009
【図８】
2005263370.tif 000010